(57)【要約】【課題】座部のスペース効率を向上でき、中空部を備える脚部に曲げ加工を行っても、割れやしわが生じにくく加工性のよい脚部を備える椅子を提供する。【解決手段】利用者が座る座部と、前記座部の側部に取り付けられる脚部と、を備え、前記脚部は、前記座部の奥行き方向に関する前記脚部の断面の最長部Ａが、前記座部の幅方向に関する前記脚部の断面の最長部Ｂより大きい形状とし、前記最長部Ａと前記最長部Ｂとの差分の範囲内で、前記座部を大きく形成して取付け可能に構成するとともに、前記脚部は中空部を有し、該中空部には、曲げに対する強度を高める補強手段を有する椅子。【選択図】  図３
2010154915.tif 000002
【特許請求の範囲】
【請求項１】
利用者が座る座部と、
前記座部の側部に取り付けられる脚部と、を備え、
前記脚部は、前記座部の奥行き方向に関する前記脚部の断面の最長部Ａが、前記座部の幅方向に関する前記脚部の断面の最長部Ｂより大きい形状とし、前記最長部Ａと前記最長部Ｂとの差分の範囲内で、前記座部を大きく形成して取付け可能に構成するとともに、
前記脚部は中空部を有し、該中空部には、曲げに対する強度を高める補強手段を有すること
を特徴とする請求項１に記載の椅子。
【請求項２】
前記脚部は、アルミニウム若しくはアルミニウム合金から形成されていることを特徴とする請求項１に記載の椅子。
【請求項３】
前記脚部は屈曲部を有し、該屈曲部の曲率半径方向に関して対向する２つの平坦部を備え、
前記補強手段は、前記中空部の前記２つの平坦部を連結するリブを有することを特徴とする請求項１又は請求項２に記載の椅子。
【請求項４】
前記リブは、前記２つの平坦部に対して垂直に延びることを特徴とする請求項３に記載の椅子。
【請求項５】
前記脚部の断面は、長円形状であることを特徴とする請求項１乃至請求項４のうち、いずれか１に記載の椅子
【発明の詳細な説明】
【技術分野】
【０００１】
本発明は、椅子に関する。
【背景技術】
【０００２】
従来より、断面が円形状や楕円形状である管状部材から構成される脚部の椅子が利用されている。例えば、特許文献１は、断面が円形状の管状部材から構成される脚部を有する椅子を開示している。以下に、従来の椅子について図８（ａ）、（ｂ）を参照しつつ説明する。
【０００３】
図８（ａ）は、従来の椅子３００の斜視図であり、図８（ｂ）は、図８（ａ）の線ＶＩＩＩ−ＶＩＩＩに沿った断面図である。椅子３００は、略Ｕ字形状の前脚フレーム３１１及び前脚フレーム３１１に対して軸支される略Ｕ字形状の後脚フレーム３２１と、前脚フレーム３１１に一体に形成される背もたれ部３１２と、前脚フレーム３１１及び後脚フレーム３２１の側部に軸支される座部３０３と、を備える。
【０００４】
また、前脚フレーム３１１は、椅子３００が載置される床に対して水平に延びる水平部３１１ａと、水平部３１１ａの長手方向両端の屈曲部３２４を介して連続し座部３０３の側部に延在する起立部３１１ｂと、を有する。同様に、後脚クレーム３２１は、水平部３２１ａ、屈曲部３２５、起立部３２１ｂと、を有する。
【０００５】
また、図８（ｂ）に示されるように、前脚フレーム３１１は、断面が円形状で中空の管状部材から形成されている。同様に、後脚フレーム３２１も、断面が円形状で中空の管状部材から形成されている。
【０００６】
他方、図示はしないが、図８に示す従来の椅子３００の前脚フレーム３１１及び後脚フレーム３２１の部材の代わりに、断面楕円形状の管状部材を用いる椅子も知られている。
【０００７】
【特許文献１】特開平８−１８２６５号
【発明の開示】
【発明が解決しようとする課題】
【０００８】
ここで、座り心地の向上、座部のスペース効率の観点から、椅子全体の所定の幅寸法において、より広い座部を設けることが要求される。椅子全体の幅寸法が決定されると、座部の幅の寸法は、椅子全体の幅寸法から、座部の左右両側の側部に装着される各脚部の寸法、すなわち円形状であればその直径（楕円形状であれば長径若しくは短径）の寸法を減じた長さ、として決定される。
【０００９】
従って、所定の幅寸法の椅子においてスペースがより広い座部を確保するという観点からすると、従来採択されていた脚部の形状のままでは、その断面が円形状や楕円形状であるがゆえに脚部自体の寸法が大きく、より広い座部を設けることは困難であった。よって、スペース効率を向上させるためには、脚部の少なくとも座部の側部に装着される部位は、座部の幅方向において薄型となる形状を採用する必要がある。
【００１０】
一方、この脚部の寸法は、椅子が耐えるべき荷重、すなわち、耐荷重性能（剛性）を考慮して決定される必要もある。また、脚部は、金属で成形されることが一般的に行われているが、どのような金属を採択して成形したとしても、特に加工がし易い軟質の金属を採択して成形したとしても、所定の耐荷重性能（剛性）を備えるような形状とする必要がある。さらに、特許文献１の屈曲部３２４、３２５のような加工を行う場合において、割れやしわを生ずることなく、所定の曲率半径通りの曲げ加工を実現できる形状とすることが要求される。
【００１１】
そこで、本発明は上記課題を鑑み、座部のスペース効率を向上でき、中空部を備える脚部に曲げ加工を行っても、割れやしわが生じにくく加工性のよい脚部を備える椅子を提供することを目的とする。
【課題を解決するための手段】
【００１２】
上記課題を解決するための本発明の椅子は、利用者が座る座部と、前記座部の側部に取り付けられる脚部と、を備え、前記脚部は、前記座部の奥行き方向に関する前記脚部の断面の最長部Ａが、前記座部の幅方向に関する前記脚部の断面の最長部Ｂより大きい形状とし、前記最長部Ａと前記最長部Ｂとの差分の範囲内で、前記座部を大きく形成して取付け可能に構成するとともに、前記脚部は中空部を有し、該中空部には、曲げに対する強度を高める補強手段を有することを特徴とする。
【００１３】
また、本発明の椅子によれば、前記脚部は、アルミニウム若しくはアルミニウム合金から形成されていることであることを特徴とする。
【００１４】
さらに、本発明の椅子によれば、前記脚部は屈曲部を有し、該屈曲部の曲率半径方向に関して対向する２つの平坦部を備え、前記補強手段は、前記中空部の前記２つの平坦部を連結するリブを有することを特徴とする。
【００１５】
本発明の椅子によれば、前記リブは、前記２つの平坦部に対して垂直に延びることを特徴とする。
【００１６】
また、本発明の椅子によれば、前記脚部の断面は、長円形状であることを特徴とする。
【００１７】
なお、本明細書において、長円形状は、所定の方向に相互に間隔をあけて平行に延びる一対の平坦部と、該平坦部の長手方向に関する一方端部同士を凸状に湾曲して連結する第１湾曲部と、他方端部同士を凸状に湾曲して連結する第２湾曲部と、によって囲まれた形状、すなわち小判形状およびそれに類似する形状を意味する。従って、長円形状は、楕円形状を含まない。
【発明の効果】
【００１８】
本発明によれば、椅子の脚部は、座部の奥行き方向に関する前記脚部の断面の最長部Ａが、前記座部の幅方向に関する前記脚部の断面の最長部Ｂより大きい形状とし、前記最長部Ａと前記最長部Ｂとの差分を、前記座部の寸法として利用することができる。従来の円形状や楕円形状の断面を有する脚部に比較し、脚部の座部の幅方向に関する長さを短くし、座部の幅寸法を大きくすることで、座部のスペース効率を高めることができる。
本発明は、脚部において、曲げに対する強度を高める補強手段を備えるので、脚部をどのような金属を採択して成形したとしても、特に加工がし易い軟質の金属を採択して成形したとしても、耐荷重性能（剛性）が高くなり、中空部を有する脚部に曲げ加工を行っても割れやしわが生じにくく、加工性の良い椅子を提供できる。
【発明を実施するための最良の形態】
【００１９】
以下、本発明に係る椅子の実施形態について、図１乃至図６を参照しつつ説明する。図１は、椅子１００の斜視図、図２（ａ）は、開脚状態である椅子１００の側面図、図２（ｂ）は、閉脚状態である椅子１００の側面図、図３は、図２（ａ）の線ＩＩＩ−ＩＩＩに沿った前脚フレーム１１の断面図、図４は、図２（ａ）の線ＩＶ−ＩＶに沿った後脚フレーム２１の断面図、図５は、後脚フレーム２１に嵌合する補強部材２９の斜視図、図６は、図１の線ＶＩ−ＶＩに沿った椅子の断面図である。
【００２０】
図１に示すように、椅子１００は、利用者が座る座部３と、座部３の側部３ａに取り付けられる脚部４、すなわち前脚フレーム１１と後脚フレーム２１と、を備える。ここで、図３に示すように、座部３の奥行き（矢印ｄ）方向に関する前脚フレーム１１の断面の最長部Ａ１が、座部３の幅（矢印ｗ）方向に関する前脚フレーム１１の断面の最長部Ｂ１より大きい形状とし、最長部Ａ１（Ａ）と最長部Ｂ１（Ｂ）との差分の範囲内で、座部３の幅（矢印ｗ）方向の寸法を大きくする構成である。同様に、図４に示すように、座部３の奥行き（矢印ｄ）方向に関する後脚フレーム２１の断面の最長部Ａ２（Ａ）が、座部３の幅（矢印ｗ）方向に関する後脚フレーム２１の断面の最長部Ｂ２（Ｂ）より大きい形状とし、最長部Ａ２と最長部Ｂ２との差分の範囲内で、座部３の幅方向の寸法を大きくする構成である。
【００２１】
さらに、従来の円形形状や楕円形状の椅子に比べると、椅子全体の幅寸法を同じに設定した場合であっても、本実施形態による椅子によれば、最長部Ａ１（Ａ２）と最長部Ｂ１（Ｂ２）との差分の範囲内で、座部３の幅（ｗ）方向の寸法を大きく寸法づけできる。なお、本実施形態では、前脚フレーム１１と後脚フレーム２１とは、その断面の外形が互いに相似の長円形状であるが、前脚フレーム１１と後脚フレーム２１の寸法関係は、適宜変更できる。
【００２２】
さらに、図３に示すように、前脚フレーム１１は、少なくとも屈曲部２４において、曲げに対する強度を高める補強手段、すなわち第１のリブ１３及び第２のリブ１５が設けられた管状部材から構成され、前脚フレーム１１の全長に亘り中空部１１ｃを有する。なお、前脚フレーム１１は、アルミニウム、アルミニウム合金等の軽量で加工しやすい材料を利用するのが好適である。また、リブ付きの管状部材は、押し出し成形等により作製できる。
【００２３】
第１及び第２のリブ１３、１５は、前脚フレーム１１を構成する平行に延在する２つの平坦部１１ｄ、１１ｅの一方からほぼ垂直に延び、平坦部１１ｄ、１１ｅの他方に連続して設けられている。すなわち、前脚フレーム１１の内面と、第１及び第２のリブ１３、１５と、により中空部１１ｃが形成されている。また、前脚フレーム１１の断面における平坦部１１ｄ、１１ｅの長手方向（図３中左右方向）の両端部は、それぞれ、所定の曲率半径を有する湾曲部１１ｆ、１１ｇに連続している。よって、対向する平坦部１１ｄ、１１ｅ、対向する湾曲部１１ｆ、１１ｇにより、長円形状の外形が形成される。
【００２４】
また、図１に示すように、前脚フレーム１１は、正面視で略Ｕ字形状であり、床に平行に延びる水平部１１ａと、水平部１１ａの長手方向両端にそれぞれ連続し、湾曲する屈曲部２４、２４と、屈曲部２４、２４のそれぞれに連続し座部３の側部３ａを通り上方に延びる起立部１１ｂ、１１ｂと、を有する。図１中の対向する側部３に連結される起立部１１ｂ、１１ｂの上端部は、起立部１１ｂ、１１ｂが平行になるよう、背もたれ部１２が装着されて固定されている。前脚フレーム１１は、その平坦部１１ｅ（図３参照）の所定位置で、座部３の枠体３５に固定された第１のピン４１により座部３に対して回転可能に連結されている。
【００２５】
前脚フレーム１１の屈曲部２４は、冶具を用いて管状部材を折り曲げることで形成される。なお、折り曲げ加工の際、２つの平坦部１１ｄ、１１ｅは、折り曲げることで成形される屈曲部２４の曲率半径方向に関して、対向するように配置される。屈曲部２４にリブ１３、１５が設けられているため、前脚フレーム１１の曲げにより平坦部１１ｄ、１１ｅに加わる応力に対して強度が増す。そのため、折り曲げ加工によっても、前脚フレーム１１の屈曲部２４は、平坦部１１ｄ、１１ｅ同士が接するような折れや、割れ、しわが生ずることを防止することができる。
【００２６】
後脚フレーム２１は、正面視で略Ｕ字形状であり、床に平行に延びる水平部２１ａと、水平部２１ａの長手方向両端に湾曲して連続する屈曲部２５、２５と、屈曲部２５、２５のそれぞれに連続し座部３の側部３ａに延びる起立部２１ｂ、２１ｂと、を有する。後脚フレーム２１は、中空部２１ｃを全長に亘り有する管状部材から形成される。従って、後脚フレーム２１を構成する管状部材には、リブが設けられていない。そこで、後脚フレーム２１の屈曲部２５に、曲げに対する強度を高める補強手段として、補強部材２９を嵌合させている。図５に示すように、後脚フレーム２１の中空部２１ｃ内に挿入し所定位置で固定される補強部材２９である。
【００２７】
補強部材２９は、屈曲部２５の長さに対応する長手方向長さを有し、後脚フレーム２１の内形の寸法とほぼ等しいか僅かに小さく寸法付けられた外形を有する。補強部材２９の長手方向に垂直な方向の断面形状は、図３に示す前脚フレーム１１の断面形状に相似である。補強部材２９は、後脚フレーム２１を構成する直線状の管状部材の端部開口から挿入し、屈曲部２５に対応する部分に配置される。そのとき、補強部材２９のリブ６１、６３が設けられた平坦部２２１ｃ、２２１ｄが、屈曲部２５の曲率半径方向に関して対向する位置となるように、補強部材２９が内部空間２１ｃ内に配置され、後脚フレーム２１の屈曲部２５を形成するための曲げ加工において、加えられる応力による破損を防止できる。
【００２８】
図２（ｂ）に示すように、後脚フレーム２１の起立部２１ｂは、連結部５を介して前脚フレーム１１に連結している。連結部５は、前脚フレーム１１に固定される第２のピン４３と、第２のピン４３により軸支される第１の連結片４６と、一端部が第１の連結片４６に連結され他端部が後脚フレーム２１の中空部２１ｃ内に摺動可能に収容されるロッド部４５と、を有する。すなわち、ロッド部４５は、後脚フレーム２１の開口する上端部２１ｈから中空部２１ｃ内に入れ子式に連結されており、ロッド部４５と後脚フレーム２１は、摺動して伸縮可能な構成となる。また第２のピン４３は、第１のピン４１の位置から背もたれ部１２側に所定距離離れた位置に固定されている。
【００２９】
なお、本実施形態では、ロッド部４５が後脚フレーム２１の中空部２１ｃ内に収容される構成であるため、後脚フレーム２１は、前脚フレーム１１のように、全長に亘りリブを一体成形することはできない。しかし、例えば、ロッド部４５を後脚フレーム２１の外周面に沿って摺動させる構成や、ロッド部４５の形状を、後脚フレーム２１の中空部２１ｃ内を摺動できる構成とすれば、前脚フレーム２１と同じリブを設けた管状部材を使用することができる。したがって、本発明の椅子において、補強手段としてのリブを設ける脚部は、前脚フレームと、後脚フレームとを問わない。
【００３０】
また、後脚フレーム２１の上端部２１ｈの近傍には、第２の連結片４７が設けられ、第２の連結片４７は、座部３の枠体３５の所定位置に固定された第３のピン４９に回動可能に連結されている。なお、後脚フレーム２１は、アルミニウム、アルミニウム合金等の軽量で加工しやすい材料を利用するのが好適である。
【００３１】
以下に、本実施形態の椅子１００のその他の部材の構成についてさらなる詳細について説明する。
図６に示すように、座部３は、軟質製ウレタンから成りクッション性のある座部本体３１と、座部本体３１を収容するための矩形皿形状であって周縁部３２ｂが図６中の上方に向かい拡開する第１の保持部材３２と、第１の保持部材３２に収容された座部本体３１を覆って第１保持部材３２の周縁部３２ｂの裏面に留められ座部本体３１と第１保持部材３２とをユニット化するカバー部材３４と、第１の保持部材３２がねじ等の固定手段により固定される第２の保持部材３３と、第２の保持部材３３を支持する丸みを帯びた４隅を有する四角形状の枠体（すなわち支持部）３５と、を備える。
【００３２】
第２の保持部材３３は、座部本体３１とユニット化された第１の保持部材３２を収容する略矩形状の凹部３３ａと、凹部３３ａに沿って設けられた下向きに開口する溝部３３ｂと、を備え、その溝部３３ｂにより第２の保持部材３３が枠体３５に支持される。
【００３３】
なお、本実施形態では、第１の保持部材３７と第２の保持部材３３とを別体としたが、一体構成とすることも可能である。また、座部本体３４は、カバー部材３４を用いて第１の保持部材３２に固定する構成としたが、カバー部材３４を用いずに、座部本体３４を保持部材に固定する構成とすることも可能である。枠体３５の材料としては、椅子の軽量化や加工性を実現できれば、アルミニウム、アルミニウム合金等、種々の材料が用いることができる。
【００３４】
上記構成の椅子１００は、使用するための開脚状態（図２（ａ）参照）から、椅子１００を折り畳んだ閉脚状態（図２（ｂ）参照）へと変更でき、その逆に閉脚状態から使用するための開脚状態へと変更できる。例えば、一方の手で背もたれ部１２を持ち、他方の手で座部３の先端部３ｃを掴み、矢印Ｒ方向（図２（ａ）参照）に回転させると、第１のピン４５を中心として座部３が時計回りに回転し、第３のピン４９に連結されている第２の連結片４７が時計回りに回転し、第２の連結片４７に連結された後脚フレーム２１が下方に引っ張られ、ロッド部４５が中空部２１ｃ内から伸長する。最終的に側面視において前脚フレーム１１、後脚フレーム２１、座部３が重なり合って平たく折り畳まれる。従って、図２（ｂ）に示すように、折り畳まれた状態の椅子１００を、収容効率良く互いに複数個積み重ねることができる。
【００３５】
なお、本実施形態では、床の上に載置された椅子１００の滑りを防止するため、前脚フレーム１１及び後脚フレーム２１の水平部１１ａ、２１ａには、互いに離間して２つの滑り防止部材５１、５３が装着されている。
【００３６】
〔前脚フレームの変形例〕
次に前脚フレームの変形例について説明する。図７（ａ）は第１の変形例に係る前脚フレーム１１１の断面を図３と同様に示す図であり、図７（ｂ）は第２の変形例に係る前脚フレーム２１１の断面を図３と同様に示す図である。
【００３７】
図７（ａ）に示すように、第１の変形例に係る前脚フレーム１１１は、後脚フレーム１２１と同様の断面長円形状の第１の管状部材１２１の内壁面に、断面円形状の管状部材１２９が当接した構造となっている。第２の管状部材１２９は、断面長円形状の第２の管状部材１２９の、平行に対向する平坦部１２１ｂ、１２１ｃの離間距離とほぼ等しいか僅かに大きい外径寸法を有し、第１の管状部材１２１は第２の管状部材１２９を固定している。従って、第２の管状部材１２９が、曲げに対する強度を高める補強手段として機能する。
【００３８】
第１の変形例では、２つの部材から構成する前脚フレーム１１１としたが、第２の変形例に係る前脚フレーム２１１は、単一部材から構成される。すなわち、図７（ｂ）に示されるように、円弧形状のリブ２１３、２１５が、対向する平坦部２１１ｂ、２１１ｃ間を連結するように形成された管状部材から、前脚フレーム１１１を加工する。第２の変形例によれば、押出し成形によって一体的にリブが成形されるので、第１の変形例に比べると加工が容易となる。
【００３９】
第１及び第２の変形例に係る前脚フレーム１１１、２１１の構成は、実施形態に係る前脚フレーム１１と同様に、曲げに対する強度を高めることができる。さらに、第１及び第２の変形例では、前脚フレームの変形例としたが、後脚フレームに利用される補強部材２９の形状を第１及び第２の変形例のような構成とすることもできる。
【００４０】
以上のように、本発明は、脚部において、曲げに対する強度を高める補強手段を備えるので、例えば、アルミニウムやその合金のように、軽量で、加工がし易い軟質の金属を採択して成形した場合にも、利用者が座ったときの横揺れなどに対する耐荷重性能（剛性）が高くなり、かつ、中空部を有する脚部に曲げ加工を行っても割れやしわが生じにくく、加工性・利便性の良い椅子を提供できる。
【００４１】
なお、本実施形態や変形例１、２では、前脚フレームは、その全長に亘りリブを設ける構成としたが、後脚フレームと同様に、補強部材を屈曲部に嵌合させる構成とすることもできる。さらに、前脚フレーム、後脚フレームや補強部材に設けるリブの数や形状は、曲げにより形成された屈曲部の曲率半径方向において対向する部位間を連結し、曲げによる応力が掛かる部分の強度を高めることができる構成であれば、適宜変更できる。また、前脚フレーム及び後脚フレームは、例えば、図３中のリブ１３（又はリブ１５）と湾曲部ｆ（又は湾曲部ｇ）とによって囲まれる中空部１１ｃや、リブ１３とリブ１５と平坦部１１ｄ、１１ｅによって囲まれる中空部１１ｃや、図７（ｂ）中のリブ２１３と２１５によって囲まれる中空部が、中実である構成としてもよい。また、脚部の断面形状は、長円形状に限定されず、瓢箪形状、矩形状、多角形状等とすることも可能である。前脚フレーム及び後脚フレームの材料としては、椅子の軽量化や加工性を実現できれば、アルミニウム、アルミニウム合金に限られず、種々の材料が用いることができる。上記実施形態及び変形例では、折り畳みが可能な椅子について説明したが、本発明は特にこれに限定されるものではない。また、上記実施形態や変形例における脚部は、設置面に水平な水平部（１１ａ）を有する略Ｕ字状の前脚フレームや後脚フレームを用いているが、本発明は、そのような水平部を有しない４つ脚タイプの脚部で構成する場合であってもよく、特に限定されない。
【００４２】
この発明は、その本質的特性から逸脱することなく数多くの形式のものとして具体化することができる。よって、上述した実施形態及び実施例は専ら説明上のものであり、本発明を制限するものではないことは言うまでもない。
【図面の簡単な説明】
【００４３】
【図１】本実施形態に係る椅子の斜視図である。
【図２】（ａ）は、開脚状態である椅子の側面図であり、（ｂ）は、閉脚状態である椅子の側面図である。
【図３】図２（ａ）の線ＩＩＩ−ＩＩＩに沿った前脚フレームの断面図である。
【図４】図２（ａ）の線ＩＶ−ＩＶに沿った後脚フレームの断面図である。
【図５】後脚フレームに嵌合する補強部材の斜視図である。
【図６】図１の線ＶＩ−ＶＩに沿った椅子の断面図である。
【図７】（ａ）は第１の変形例に係る前脚フレームの断面を図３と同様に示す図であり、（ｂ）は第２の変形例に係る前脚フレームの断面を図３と同様に示す図である。
【図８】（ａ）は、従来の椅子の斜視図であり、（ｂ）は、図８（ａ）の線ＶＩＩＩ−ＶＩＩＩに沿った断面図である。
【符号の説明】
【００４４】
３    座部
４    脚部
５    連結部
１１、１１１、２１１    前脚フレーム（脚部）
１１ｃ、２１ｃ    中空部
１２    背もたれ
１３、２１３    第１のリブ（補強手段）
１５、２１５    第２のリブ（補強手段）
２１    後脚フレーム（脚部）
２４、２５    屈曲部
２９    補強部材（補強手段）
３１    座部本体
３２    第１の保持部材
３２ｂ  周縁部
３３    第２の保持部材
３３ａ  凹部
３３ｂ  溝部
３５    枠体
４１    第１のピン
４３    第２のピン
４５    ロッド部
４６    第１の連結片
４７    第２の連結片
４９    第３のピン
１００  椅子
１２９  管状部材
ｄ    座部の奥行き方向
ｗ    座部の幅方向
Ａ１、Ａ２    座部の奥行き方向に関する脚部の断面の最長部（最長部Ａ）
Ｂ１、Ｂ２    座部の幅方向に関する脚部の断面の最長部（最長部Ｂ）
【図１】
2010154915.tif 000003
【図２】
2010154915.tif 000004
【図３】
2010154915.tif 000005
【図４】
2010154915.tif 000006
【図５】
2010154915.tif 000007
【図６】
2010154915.tif 000008
【図７】
2010154915.tif 000009
【図８】
2010154915.tif 000010